(57)【要約】      （修正有）【課題】重要な伝送情報の秘匿性の向上だけでなく、伝送情報の信頼性及び応答性の向上を可能にする。【解決手段】情報処理機器からのイーサネットのデータを無線で送受信する通信装置であって、送信手段として、送信すべきイーサネットのデータが秘匿性を必要とするデータであるかどうかを判別する判別手段と、送信すべきイーサネットのデータを汎用ネットワーク回線に接続する第１の無線接続手段と、送信すべきイーサネットのデータを前記汎用ネットワーク回線とは別の変調方式及び周波数帯を使用した特定回線に接続する第２の無線接続手段と、判別の結果が秘匿性を必要としない判別結果である場合、送信すべきイーサネットのデータを第１の無線接続手段に送り、判別の結果が秘匿性を必要とする判別結果である場合には送信すべきイーサネットのデータを第２の無線接続手段に送る切替手段と、を含む。【選択図】図１
2015198415.tif 000002
【特許請求の範囲】
【請求項１】
情報処理機器からのイーサネットのデータを無線で送受信する際の送信手段として、
送信すべきイーサネットのデータが秘匿性を必要とするデータであるかどうかを判別する判別手段と、
送信すべきイーサネットのデータを汎用ネットワーク回線に接続する第１の無線接続手段と、
送信すべきイーサネットのデータを前記汎用ネットワーク回線とは別の変調方式及び周波数帯を使用した特定回線に接続する第２の無線接続手段と、
前記判別の結果が秘匿性を必要としない判別結果である場合、送信すべきイーサネットのデータを前記第１の無線接続手段に送り、前記判別の結果が秘匿性を必要とする判別結果である場合には送信すべきイーサネットのデータを前記第２の無線接続手段に送る切替手段と、を含み、
前記切替手段と前記第２の無線接続手段との間に、前記切替手段からの送信すべきイーサネットのデータに対し、秘匿化、インターリーブ、誤り訂正符号化を含んだ送信編集処理であって前記特定回線用に編集処理を行う送信編集処理手段を備えることを特徴とする通信装置。
【請求項２】
前記判別手段は、
送信に際して秘匿性の必要な複数の宛先アドレスをあらかじめ格納しているアドレス格納手段と、
送信すべきイーサネットのデータに含まれる宛先アドレスを検出するアドレス検出手段と、
前記アドレス格納手段に格納されている複数の宛先アドレスの中に、前記アドレス検出手段で検出された宛先アドレスと一致するものがあるかどうかを検出するアドレス比較手段と、を含み、
前記アドレス比較手段は、一致する宛先アドレスがあることを検出すると、一致する宛先アドレスの検出を示す信号を、送信すべきイーサネットのデータが秘匿性を必要とするデータであることを示す信号として、前記切替手段に出力することを特徴とする請求項１に記載の通信装置。
【請求項３】
前記切替手段は、
送信すべきイーサネットのデータを、一定時間遅延させる遅延回路と、
前記判別手段から前記一致する宛先アドレスの検出を示す信号の入力が無い場合には前記一定時間遅延されたデータを前記第１の無線接続手段に送り、前記判別手段から前記一致する宛先アドレスの検出を示す信号を受けると前記一定時間遅延されたデータを前記第２の無線接続手段に送る切替回路と、を含むことを特徴とする請求項１又は２に記載の通信装置。
【請求項４】
当該通信装置は更に、
受信手段として、
前記汎用ネットワーク回線とは別の変調方式及び周波数帯を使用した特定回線からのイーサネットのデータを受信・復調する受信・復調手段と、
前記受信・復調手段からのデータに対し、前記秘匿化の解除、デインターリーブ、及び誤り訂正の処理を行う受信編集処理手段と、を備えることを特徴とする請求項１から３のいずれか１項に記載の通信装置。
【請求項５】
送信側装置、相手側装置としてそれぞれ、請求項１から４のいずれか１項に記載の通信装置を備え、
更に、前記汎用ネットワーク回線とは別の変調方式及び周波数帯を使用した前記特定回線からのイーサネットのデータを受信・復調する受信・復調手段と、
前記受信・復調手段によるデータに対し、前記秘匿化の解除、デインターリーブ、及び誤り訂正の処理を行う受信編集処理手段と、
前記受信編集処理されたデータに対し、再度、前記秘匿化、前記インターリーブ、前記誤り訂正符号化を含んだ送信編集処理であって前記特定回線用に編集処理を行う送信編集処理手段と、
送信編集処理されたデータを前記汎用ネットワーク回線とは別の前記変調方式及び周波数帯を使用した前記特定回線に接続する第２の無線接続手段と、を備えた通信装置を、前記特定回線の中継装置として備えることを特徴とする通信システム。
【請求項６】
情報処理機器からのイーサネットのデータを無線で送受信する際の送信処理として、
送信すべきイーサネットのデータを汎用ネットワーク回線に接続する第１の無線接続処理と、
送信すべきイーサネットのデータを前記汎用ネットワーク回線とは別の変調方式及び周波数帯を使用した特定回線に接続する第２の無線接続処理と、
送信すべきイーサネットのデータが秘匿性を必要とするデータであるかどうかを判別する処理と、
前記判別の結果が秘匿性を必要としない判別結果である場合、送信すべきイーサネットのデータを前記第１の無線接続処理のために送り、前記判別の結果が秘匿性を必要とする判別結果である場合には送信すべきイーサネットのデータを前記第２の無線接続処理のために送る切替処理と、
前記第２の無線接続処理の前に、前記切替処理で送られてきた送信すべきイーサネットのデータに対し、秘匿化、インターリーブ、誤り訂正符号化を含んだ送信編集処理であって前記特定回線用に編集処理を行う送信編集処理と、を含むことを特徴とする通信方法。
【請求項７】
前記判別する処理は、
送信すべきイーサネットのデータに含まれる宛先アドレスを検出する処理と、
送信に際して秘匿性の必要な宛先アドレスとしてあらかじめ記憶されている複数の宛先アドレスの中に、前記宛先アドレスを検出する処理で検出された宛先アドレスと一致するものがあるかどうかを検出する比較処理と、を含み、
前記比較処理において、一致する宛先アドレスがあることを検出すると、一致する宛先アドレスの検出を示す信号を、送信すべきイーサネットのデータが秘匿性を必要とするデータであることを示す信号として、前記切替処理のために送ることを特徴とする請求項６に記載の通信方法。
【請求項８】
前記切替処理は、
送信すべきイーサネットのデータを、一定時間遅延させる処理と、
前記判別する処理において前記一致する宛先アドレスの検出を示す信号の出力が無い場合には前記一定時間遅延されたデータを前記第１の無線接続処理のために送り、前記判別する処理において前記一致する宛先アドレスの検出を示す信号を受けると前記一定時間遅延されたデータを前記第２の無線接続処理のために送る処理と、を含むことを特徴とする請求項６又は７に記載の通信方法。
【請求項９】
更に、受信処理として、
前記汎用ネットワーク回線とは別の変調方式及び周波数帯を使用した特定回線からのイーサネットのデータを受信・復調する受信・復調処理と、
前記受信・復調処理によるデータに対し、前記秘匿化の解除、デインターリーブ、及び誤り訂正の処理を行う受信編集処理と、を含むことを特徴とする請求項６から８のいずれか１項に記載の通信方法。
【請求項１０】
前記汎用ネットワーク回線とは別の変調方式及び周波数帯を使用した前記特定回線からのイーサネットのデータを受信・復調する受信・復調処理と、
前記受信・復調処理によるデータに対し、前記秘匿化の解除、デインターリーブ、及び誤り訂正の処理を行う受信編集処理と、
前記受信編集処理されたデータに対し、再度、前記秘匿化、前記インターリーブ、前記誤り訂正符号化を含んだ送信編集処理であって前記特定回線用に編集処理を行う送信編集処理と、
送信編集処理されたデータを前記汎用ネットワーク回線とは別の前記変調方式及び周波数帯を使用した前記特定回線に接続する第２の無線接続処理と、を実行することにより、前記特定回線の中継を行うことを特徴とする請求項６から９のいずれか１項に記載の通信方法。
【発明の詳細な説明】
【技術分野】
【０００１】
本発明は通信装置及び通信方法に関する。
【背景技術】
【０００２】
パソコンなどの情報処理機器においてＬＡＮ（Ｌｏｃａｌ  Ａｒｅａ  Ｎｅｔｗｏｒｋ）データを伝送する際には、通常、無線ＬＡＮなどの汎用回線が用いられている。しかし、この種の汎用回線は、データの傍受が容易である。この種の汎用回線はまた、回線が接続されるまでに時間がかかり、移動体や基地局の無い状態での使用ができないという問題点を有している。
【０００３】
具体的な例で説明すると、パソコンなどの情報処理機器においてイーサネット（登録商標）のデータを無線で伝送する場合、ＩＥＥＥ  ８０２.１１などで規定される無線ＬＡＮなどが用いられている。しかし、無線ＬＡＮは多元接続であるため、傍受、遅延、衝突などの障害があり、また、高速な移動体や基地局の無い場所での使用ができないという問題点を有している。
【先行技術文献】
【特許文献】
【０００４】
【特許文献１】特開２００８−２５２４５６号公報
【発明の概要】
【発明が解決しようとする課題】
【０００５】
上記のような問題点の解消策は、その一例が通信装置の場合について特許文献１に開示されている。しかし、特許文献１に開示されているのは、暗号化されたデータが解読される可能性を低減すること、つまり傍受の可能性を低減させることのみである。
【０００６】
そこで、本発明の企図するところは、重要な伝送情報の秘匿性の向上だけでなく、伝送情報の信頼性の向上、応答性の向上を可能にすることである。
【課題を解決するための手段】
【０００７】
本発明の第１の態様によれば、情報処理機器からのイーサネットのデータを無線で送受信する通信装置が提供される。本通信装置は、送信手段として、送信すべきイーサネットのデータが秘匿性を必要とするデータであるかどうかを判別する判別手段と、送信すべきイーサネットのデータを汎用ネットワーク回線に接続する第１の無線接続手段と、送信すべきイーサネットのデータを前記汎用ネットワーク回線とは別の変調方式及び周波数帯を使用した特定回線に接続する第２の無線接続手段と、前記判別の結果が秘匿性を必要としない判別結果である場合、送信すべきイーサネットのデータを前記第１の無線接続手段に送り、前記判別の結果が秘匿性を必要とする判別結果である場合には送信すべきイーサネットのデータを前記第２の無線接続手段に送る切替手段と、を含む。本通信装置は更に、前記切替手段と前記第２の無線接続手段との間に、前記切替手段からの送信すべきイーサネットのデータに対し、秘匿化、インターリーブ、誤り訂正符号化を含んだ送信編集処理であって前記特定回線用に編集処理を行う送信編集処理手段を備える。
【０００８】
本発明の第２の態様によれば、情報処理機器からのイーサネットのデータを無線で送受信する通信方法が提供される。本通信方法は、送信処理として、送信すべきイーサネットのデータを汎用ネットワーク回線に接続する第１の無線接続処理と、送信すべきイーサネットのデータを前記汎用ネットワーク回線とは別の変調方式及び周波数帯を使用した特定回線に接続する第２の無線接続処理と、送信すべきイーサネットのデータが秘匿性を必要とするデータであるかどうかを判別する処理と、前記判別の結果が秘匿性を必要としない判別結果である場合、送信すべきイーサネットのデータを前記第１の無線接続処理のために送り、前記判別の結果が秘匿性を必要とする判別結果である場合には送信すべきイーサネットのデータを前記第２の無線接続処理のために送る切替処理と、前記第２の無線接続処理の前に、前記切替処理で送られてきた送信すべきイーサネットのデータに対し、秘匿化、インターリーブ、誤り訂正符号化を含んだ送信編集処理であって前記特定回線用に編集処理を行う送信編集処理と、を含む。
【発明の効果】
【０００９】
本発明によれば、重要な伝送情報の秘匿性の向上、伝送情報の信頼性の向上、応答性の向上を実現することができる。
【図面の簡単な説明】
【００１０】
【図１】本発明の実施形態による通信装置の構成例を、送信側装置と相手側装置について説明するためのブロック図である。
【図２】図１に示されたアドレス検出器と切替器の構成例を説明するための図である。
【図３】図２に示されたアドレス検出器、切替器の信号タイミングの詳細を説明するための波形図である。
【図４】図１に示された送信フォーマッタの構成例を説明するためのブロック図である。
【図５】図１に示された送信フォーマッタで生成するデータ例を示した図である。
【図６】図１に示された受信フォーマッタの構成例を説明するためのブロック図である。
【図７】本発明の別の実施形態の構成例を説明するためのブロック図である。
【図８】図７に示された実施形態における送信側装置（地上装置）、中継装置、相手側装置（理上装置）のそれぞれの送信、受信のタイミング例を説明するための波形図である。
【発明を実施するための形態】
【００１１】
［実施形態の構成］
図１を参照して、本発明の実施形態について説明する。図１は、本発明の実施形態による通信装置の構成例を、送信側装置１００と相手側装置２００について示している。送信側装置１００、相手側装置２００の構成は同じであるので、以下では送信側装置１００について説明する。
【００１２】
図１において、パソコンなどの情報処理機器１は、IEEE８０２.３で標準化されたイーサネット（登録商標）を有する情報処理機器である。ＰＨＹ２は、イーサネットの第１レイヤである物理層であり、イーサネットのデータを、ＭII、ＧＭII、ＸＧＭIIなどのフォーマット形式に変換するとともに、ＭII、ＧＭII、ＸＧＭIIなどのフォーマット形式で送られてきたデータをイーサネットのデータとして送信する機能を有する。このように、パソコンなどの情報処理機器１から出力されたデータをＰＨＹ２でフォーマット変換を行い、その後、アドレス検出器３でアドレス検出などのデコード処理を行っているので、切替器（切替手段）４の出力を再度、無線ＬＡＮなどの汎用回線５に受け渡す際には、ＰＨＹ２’を介してＬＡＮデータに戻す。つまり、ＰＨＹ２’は、ＰＨＹ２と逆の変換機能を持つ。
【００１３】
アドレス検出器（判別手段）３は、送信すべきイーサネットのデータが秘匿性を必要とするデータであるかどうかを判別する。具体的には、アドレス検出器３は、ＰＨＹ２から送られてきたイーサネットのデータの内容を解読し、解読した内容に含まれる相手先のアドレスに基づいて、ＰＨＹ２’経由で無線ＬＡＮなどの汎用回線５に送るデータか、あるいは後述する特定回線で送る重要度の高いデータかを判別する。切替器（切替手段）４は、アドレス検出器３で判別された判別結果を示す信号に応じて、データの伝送先を、無線ＬＡＮなどの汎用回線５に接続される送信機（第１の無線接続手段）（図示省略）に接続されたＰＨＹ２’、あるいは特定回線に接続される変調・送信機（第２の無線接続手段）８に接続された送信フォーマッタ６に切り替える。
【００１４】
送信フォーマッタ（送信編集処理手段）６は、切替器４から送られてきたデータに対し、特定回線による無線で伝送するためにデータのパケット化を行うとともに、無線でのデータ誤りなどを考慮した誤り訂正符号化、また、秘匿性を持たせるための秘匿化、インターリーブなどの処理を行う。ＧＰＳ（Ｇｌｏｂａｌ  Ｐｏｓｉｔｉｏｎｉｎｇ  Ｓｙｓｔｅｍ）受信機７は、複数の接続先がある場合で、かつ周波数の利用が限られている場合、時分割での送信を行うために同期信号を生成する。
【００１５】
ＰＨＹ２’に接続される送信機（図示せず）は、無線ＬＡＮなどの汎用回線５に適用可能な送信機であれば良い。一方、変調・送信機８は、無線ＬＡＮなどの汎用回線５とは別の特定回線、すなわち汎用回線５とは別の変調方式及び周波数帯の回線で、対向する相手側装置２００に対してデータを送信する。受信・復調機９は、相手側装置２００から送られてきた信号を受信及び復調する。復調方式及び周波数帯は、相手側装置２００と同じものとなる。なお、無線ＬＡＮで用いられる周波数としては、例えば２．４ＧHz〜２．５ＧHz、５．１５ＧHz〜５．３５GHz等が挙げられるが、これらは一例にすぎない。
【００１６】
受信フォーマッタ（受信編集処理手段）１０は、受信・復調機９からのデータに対し、フレームを検出し、更にデータの誤り訂正、秘匿解除、デインターリーブなどの復号処理を行った後、ＬＡＮのパケットに戻し、ＭII、ＧＭII、ＸＧＭIIなどのフォーマット形式に変換する。
【００１７】
以上のような構成、すなわちＰＨＹ２、アドレス検出器３、切替器４、ＰＨＹ２’、送信フォーマッタ６、ＧＰＳ受信機７、変調・送信機８、受信・復調機９、及び受信フォーマッタ１０を有する通信装置により、無線ＬＡＮなどの汎用回線５で生じる傍受、遅延、衝突などの障害を回避することができ、重要な伝送情報の秘匿性の向上、伝送情報の信頼性の向上、応答性の向上を図ることが可能となる。なお、アドレス検出器３、切替器４、ＰＨＹ２’、送信フォーマッタ６、ＧＰＳ受信機７、変調・送信機８は、まとめて送信手段と呼ぶことができ、受信・復調機９、及び受信フォーマッタ１０はまとめて受信手段と呼ぶことができる。
【００１８】
［実施形態の動作］
次に、本発明の実施形態の動作について説明する。
【００１９】
図２は、アドレス検出器３及び切替器４の構成例を示す。アドレス検出器３は、宛先アドレス検出器１３、アドレス格納部１４、アドレス比較器１５からなる。アドレス格納部１４には、特定回線で送信すべき重要性を伴う複数の宛先アドレスがあらかじめ格納されている。切替器４は、遅延回路１１、切替回路１２からなる。
【００２０】
図３は、アドレス検出器３及び切替器４の信号タイミングの詳細を示す。まず、パソコンなどの情報処理機器１から、ＰＨＹ２を経由して、ＭII、ＧＭII、ＸＧＭIIなどのフォーマット形式のデータとして、受信クロック（ＲＸ  ＣＬＫ）、受信有効（ＲＸ  ＤＶ）などの信号と共に送られてきた受信データ（ＲＸ  Ｄ０〜Ｄ３）をアドレス検出器３及び切替器４で受け取る。
【００２１】
アドレス検出器３では、受け取ったイーサネットデータから、宛先アドレス検出器１３によって宛先アドレスを検出し、検出した宛先アドレス情報をアドレス比較器１５に伝達する。アドレス比較器１５では、宛先アドレス検出器１３によって検出された宛先アドレス情報と、あらかじめアドレス格納部１４に設定、格納されている複数の宛先アドレスとを比較し、一致する宛先アドレスがある場合、切替回路１２に対してＳＥＬ信号“１”を送る。
【００２２】
切替器４で受け取ったイーサネットデータは、遅延回路１１によって一定時間遅延させ、切替回路１２に遅延データを送る。切替回路１２では、アドレス検出器３からのＳＥＬ信号“１”がある場合には、イーサネットデータを送信フォーマッタ６側に伝達し、変調・送信機８経由で特定回線にデータを送る。切替回路１２は、アドレス検出器３からのＳＥＬ信号“１”が無い場合は、ＰＨＹ２’側へイーサネットデータを伝達し、図示しない送信機経由で無線ＬＡＮなどの汎用回線５にデータを送る。
【００２３】
図４は送信フォーマッタ６の構成例を示し、図５は送信フォーマッタ６で生成するデータ例を示す。
【００２４】
図４において、送信フォーマッタ６は、データ分割部１６、パディング処理部１７、秘匿化／インターリーブ部１８、誤り訂正符号化部１９、パケット化部２０、送信タイミング決定部２１を有する。
【００２５】
ＰＨＹ２から送られてくるイーサネットのデータは、図５（ａ）に示されるように、プリアンブル、宛先アドレス、送信元アドレス、データの長さ／タイプを示す情報、送信すべきデータ、チェック部から成る。図５（ｂ）に示すように、切替器４は、アドレス検出器３からのＳＥＬ信号“１”が無い場合には重要性を伴わない相手先への送信であるので、ＰＨＹ２’経由で無線ＬＡＮなどの汎用回線５へデータを転送する。切替器４は、アドレス検出器３からのＳＥＬ信号“１”がある場合には重要性を伴う（つまり、秘匿性を必要とする）相手先への送信であるので、送信フォーマッタ６側へデータを伝達し、特定回線へデータを転送する。
【００２６】
送信フォーマッタ６では、切替器４から送られてきたイーサネットデータ（図５ａ）を、データ分割部１６により無線伝送のために必要となるデータサイズに分割する。分割されたデータは、パディング処理部１７でのパディング処理により、データ長の端数をダミーデータで埋め、固定長のデータになるよう処理される。秘匿化/インターリーブ部１８は、固定長化されたデータに対して任意の秘匿方式で秘匿化を行い、また、データがランダムになるようインターリーブ処理を行う。その後、誤り訂正符号化部１９により、秘匿化/インターリーブ部１８からのデータに対して任意の誤り訂正方式で符号化を行う。続いて、パケット化部２０により、誤り訂正符号化されたデータにプリアンブル、ユニークワードなどのヘッダを付加し、送信タイミング決定部２１にデータを送る（図５のｃ１，ｃ２，ｃ３，ｃ４）。送信タイミング決定部２１では、接続先数、及び宛先アドレス情報に応じて、ＧＰＳ受信機７からの同期信号に同期したタイミングでパケット化されたデータを変調・送信機８に出力する。すなわち、送信タイミング決定部２１は、図５（ｃ１）−（ｃ４）に示されるような分割データをそれぞれ、図５（ｄ）に示されるタイミング、つまり時分割で変調・送信機８に出力する。変調・送信機８は、受信したデータを特定回線で相手側装置２００に無線送信する。
【００２７】
図６は、受信フォーマッタ１０の構成例を示す。受信フォーマッタ１０は、フレーム検出部２２、秘匿解除／デインターリーブ部２３、誤り訂正部２４、データ結合部２５からなる。
【００２８】
図６において、受信フォーマッタ１０では、相手側装置２００から送信され、受信・復調機９（図１）で受信された受信データに対し、まず、フレーム検出部２２によりユニークワードなどの符号から無線伝送のフレームを検出する。フレーム検出後は、ヘッダなどの情報を取り除き、秘匿解除/デインターリーブ部２３により、相手側装置と同様の秘匿方式で秘匿解除を行うとともに、インターリーブを復元する。その後、誤り訂正部２４により、無線伝送において生じたデータ誤りについて、相手側装置２００で付加した誤り訂正符号から訂正処理を行う。訂正処理されたデータは、データ結合部２５により、イーサネットデータのフレーム構造に結合し、ＭII、ＧＭII、ＸＧＭIIなどのフォーマット形式に変換した後、ＰＨＹ２にデータを出力する。ＰＨＹ２は、受信フォーマッタ１０からＭII、ＧＭII、ＸＧＭIIなどのフォーマット形式で送られてきたデータをイーサネットのデータとして情報処理機器１に送る。
【００２９】
なお、パソコンなどの情報処理機器１、ＰＨＹ２、無線ＬＡＮなどの汎用回線５、ＧＰＳ受信機７については、汎用的に用いられているため、詳しい機能、動作の説明を省略する。
【００３０】
［実施形態の効果］
以上説明したように、上記実施形態においては、秘匿性を必要とする接続先を判別し、秘匿性を必要とする接続先が検出された場合は、特定回線を使用してデータを伝送する。秘匿化に際しては、接続先などの情報を含めたヘッダ部分も秘匿化することで、秘匿性が高まり、また、限られた接続先での伝送となるため、伝送情報の信頼性及び応答性も高まる。なお、特定回線においては、無線ＬＡＮなどの周波数帯とは別の周波数を用いることになるが、送信、受信を１つの周波数で行い、ＧＰＳ受信機からの同期信号で同期を確立した時分割伝送も可能である。
【００３１】
したがって、上記実施形態によれば、以下のような効果を奏する。
【００３２】
第１の効果は、汎用回線とは別の変調方式及び周波数帯による特定回線を用い、しかも相手先アドレス情報を含めたＬＡＮデータ全てを秘匿化して送信することができる。
【００３３】
第２の効果は、重要度の高いデータに関しては無線ＬＡＮなどの汎用回線とは異なる特定回線を用いるため、無線ＬＡＮなどの回線で生じている衝突や遅延などを回避でき、回線上の信頼性、応答性を向上させることができる。
【００３４】
［他の実施形態］
図１に示した実施形態は、地上対地上での無線回線となるが、見通しのきかない場所においては、回線の信頼性を確保できない。このような問題に対し、図７に示すように、送信側装置１００と相手側装置２００との間に中継装置２６を備えることで伝送距離の拡張を図ることができる。
【００３５】
図７において、中継装置２６を構成する送信フォーマッタ６’、ＧＰＳ受信機７’、変調・送信機８’、受信・復調機９’、受信フォーマッタ１０’はそれぞれ、図１に示す構成要素と同じで良い。
【００３６】
図６で説明したように、受信フォーマッタ１０’では、送信側装置１００から送信され、受信・復調機９’で受信された受信データに対し、まず、フレーム検出部２２によりユニークワードなどの符号から無線伝送のフレームを検出する。フレーム検出後は、ヘッダなどの情報を取り除き、秘匿解除/デインターリーブ部２３により、相手側装置と同様の秘匿方式で秘匿解除を行うとともに、インターリーブを復元する。その後、誤り訂正部２４により、無線伝送において生じたデータ誤りについて、送信側装置１００で付加した誤り訂正符号から訂正処理を行う。訂正処理されたデータは、データ結合部２５により、イーサネットデータのフレーム構造に結合し、ＭII、ＧＭII、ＸＧＭIIなどのフォーマット形式に変換した後、送信フォーマッタ６’にデータを出力する。
【００３７】
図４で説明したように、送信フォーマッタ６’では、受信フォーマッタ１０’から送られてきたイーサネットデータを、データ分割部１６により無線伝送のために必要となるデータサイズに分割する。分割されたデータは、パディング処理部１７でのパディング処理により、データ長の端数をダミーデータで埋め、固定長のデータになるよう処理される。秘匿化/インターリーブ部１８は、固定長化されたデータに対して任意の秘匿方式で秘匿化を行い、また、データがランダムになるようインターリーブ処理を行う。その後、誤り訂正符号化部１９により、秘匿化/インターリーブ部１８からのデータに対して任意の誤り訂正方式で符号化を行う。続いて、パケット化部２０により、誤り訂正符号化されたデータにプリアンブル、ユニークワードなどのヘッダを付加し、送信タイミング決定部２１にデータを送る。送信タイミング決定部２１では、接続先数、及び宛先アドレス情報に応じて、ＧＰＳ受信機７’からの同期信号に同期したタイミングでパケット化されたデータを変調・送信機８’に出力する。変調・送信機８’は、受信したデータを特定回線で相手側装置２００に無線送信する。
【００３８】
図８に送信側装置（地上装置）、中継装置、相手側装置（地上装置）のそれぞれの送信、受信のタイミング例を示す。地上装置、中継装置がともにＧＰＳ受信機７’からの同期信号で同期をとり、送信及び受信のタイミングを一致させることで、本構成を実現できる。なお、中継装置２６は航空機などの飛しょう体に装備することにより、更に長距離での伝送が可能になる。
【００３９】
以上、本発明を、複数の実施形態を参照して説明したが、本発明は上記実施例に限定されるものではない。本発明の構成や詳細には、請求項に記載された本発明の精神や範囲内で当業者が理解し得る様々な変更をすることができる。
【００４０】
上記実施形態の一部又は全部は、以下のようにも記載されうる。尚、以下の付記は本発明をなんら限定するものではない。
【００４１】
［付記１］
情報処理機器からのイーサネットのデータを無線で送受信する際の送信手段として、
送信すべきイーサネットのデータが秘匿性を必要とするデータであるかどうかを判別する判別手段と、
送信すべきイーサネットのデータを汎用ネットワーク回線に接続する第１の無線接続手段と、
送信すべきイーサネットのデータを前記汎用ネットワーク回線とは別の変調方式及び周波数帯を使用した特定回線に接続する第２の無線接続手段と、
前記判別の結果が秘匿性を必要としない判別結果である場合、送信すべきイーサネットのデータを前記第１の無線接続手段に送り、前記判別の結果が秘匿性を必要とする判別結果である場合には送信すべきイーサネットのデータを前記第２の無線接続手段に送る切替手段と、を含み、
前記切替手段と前記第２の無線接続手段との間に、前記切替手段からの送信すべきイーサネットのデータに対し、秘匿化、インターリーブ、誤り訂正符号化を含んだ送信編集処理であって前記特定回線用に編集処理を行う送信編集処理手段を備えることを特徴とする通信装置。
【００４２】
［付記２］
前記判別手段は、
送信に際して秘匿性の必要な複数の宛先アドレスをあらかじめ格納しているアドレス格納手段と、
送信すべきイーサネットのデータに含まれる宛先アドレスを検出するアドレス検出手段と、
前記アドレス格納手段に格納されている複数の宛先アドレスの中に、前記アドレス検出手段で検出された宛先アドレスと一致するものがあるかどうかを検出するアドレス比較手段と、を含み、
前記アドレス比較手段は、一致する宛先アドレスがあることを検出すると、一致する宛先アドレスの検出を示す信号を、送信すべきイーサネットのデータが秘匿性を必要とするデータであることを示す信号として、前記切替手段に出力することを特徴とする付記１に記載の通信装置。
【００４３】
［付記３］
前記切替手段は、
送信すべきイーサネットのデータを、一定時間遅延させる遅延回路と、
前記判別手段から前記一致する宛先アドレスの検出を示す信号の入力が無い場合には前記一定時間遅延されたデータを前記第１の無線接続手段に送り、前記判別手段から前記一致する宛先アドレスの検出を示す信号を受けると前記一定時間遅延されたデータを前記第２の無線接続手段に送る切替回路と、を含むことを特徴とする付記１又は２に記載の通信装置。
【００４４】
［付記４］
当該通信装置は更に、
受信手段として、
前記汎用ネットワーク回線とは別の変調方式及び周波数帯を使用した特定回線からのイーサネットのデータを受信・復調する受信・復調手段と、
前記受信・復調手段からのデータに対し、前記秘匿化の解除、デインターリーブ、及び誤り訂正の処理を行う受信編集処理手段と、を備えることを特徴とする付記１から３のいずれか１項に記載の通信装置。
【００４５】
［付記５］
当該通信装置は更に、ＧＰＳ受信機を備え、
前記送信編集処理手段は更に、送信編集処理後のデータに対し、前記ＧＰＳ受信機で生成された同期信号に基づいて時分割処理を実行する機能を有することを特徴とする付記１から４のいずれか１項に記載の通信装置。
【００４６】
［付記６］
送信側装置、相手側装置としてそれぞれ、付記１から５のいずれか１項に記載の通信装置を備え、
更に、前記汎用ネットワーク回線とは別の変調方式及び周波数帯を使用した前記特定回線からのイーサネットのデータを受信・復調する受信・復調手段と、
前記受信・復調手段によるデータに対し、前記秘匿化の解除、デインターリーブ、及び誤り訂正の処理を行う受信編集処理手段と、
前記受信編集処理されたデータに対し、再度、前記秘匿化、前記インターリーブ、前記誤り訂正符号化を含んだ送信編集処理であって前記特定回線用に編集処理を行う送信編集処理手段と、
送信編集処理されたデータを前記汎用ネットワーク回線とは別の前記変調方式及び周波数帯を使用した前記特定回線に接続する第２の無線接続手段と、を備えた通信装置を、前記特定回線の中継装置として備えることを特徴とする通信システム。
【００４７】
［付記７］
情報処理機器からのイーサネットのデータを無線で送受信する際の送信処理として、
送信すべきイーサネットのデータを汎用ネットワーク回線に接続する第１の無線接続処理と、
送信すべきイーサネットのデータを前記汎用ネットワーク回線とは別の変調方式及び周波数帯を使用した特定回線に接続する第２の無線接続処理と、
送信すべきイーサネットのデータが秘匿性を必要とするデータであるかどうかを判別する処理と、
前記判別の結果が秘匿性を必要としない判別結果である場合、送信すべきイーサネットのデータを前記第１の無線接続処理のために送り、前記判別の結果が秘匿性を必要とする判別結果である場合には送信すべきイーサネットのデータを前記第２の無線接続処理のために送る切替処理と、
前記第２の無線接続処理の前に、前記切替処理で送られてきた送信すべきイーサネットのデータに対し、秘匿化、インターリーブ、誤り訂正符号化を含んだ送信編集処理であって前記特定回線用に編集処理を行う送信編集処理と、を含むことを特徴とする通信方法。
【００４８】
［付記８］
前記判別する処理は、
送信すべきイーサネットのデータに含まれる宛先アドレスを検出する処理と、
送信に際して秘匿性の必要な宛先アドレスとしてあらかじめ記憶されている複数の宛先アドレスの中に、前記宛先アドレスを検出する処理で検出された宛先アドレスと一致するものがあるかどうかを検出する比較処理と、を含み、
前記比較処理において、一致する宛先アドレスがあることを検出すると、一致する宛先アドレスの検出を示す信号を、送信すべきイーサネットのデータが秘匿性を必要とするデータであることを示す信号として、前記切替処理のために送ることを特徴とする付記７に記載の通信方法。
【００４９】
［付記９］
前記切替処理は、
送信すべきイーサネットのデータを、一定時間遅延させる処理と、
前記判別する処理において前記一致する宛先アドレスの検出を示す信号の出力が無い場合には前記一定時間遅延されたデータを前記第１の無線接続処理のために送り、前記判別する処理において前記一致する宛先アドレスの検出を示す信号を受けると前記一定時間遅延されたデータを前記第２の無線接続処理のために送る処理と、を含むことを特徴とする付記７又は８に記載の通信方法。
【００５０】
［付記１０］
更に、受信処理として、
前記汎用ネットワーク回線とは別の変調方式及び周波数帯を使用した特定回線からのイーサネットのデータを受信・復調する受信・復調処理と、
前記受信・復調処理によるデータに対し、前記秘匿化の解除、デインターリーブ、及び誤り訂正の処理を行う受信編集処理と、を含むことを特徴とする付記７から９のいずれか１項に記載の通信方法。
【００５１】
［付記１１］
更に、ＧＰＳ受信機能を有し、
前記送信編集処理は更に、送信編集処理後のデータに対し、前記ＧＰＳ受信機能で生成された同期信号に基づいて時分割処理を実行することを特徴とする付記７から１０のいずれか１項に記載の通信方法。
【００５２】
［付記１２］
前記汎用ネットワーク回線とは別の変調方式及び周波数帯を使用した前記特定回線からのイーサネットのデータを受信・復調する受信・復調処理と、
前記受信・復調処理によるデータに対し、前記秘匿化の解除、デインターリーブ、及び誤り訂正の処理を行う受信編集処理と、
前記受信編集処理されたデータに対し、再度、前記秘匿化、前記インターリーブ、前記誤り訂正符号化を含んだ送信編集処理であって前記特定回線用に編集処理を行う送信編集処理と、
送信編集処理されたデータを前記汎用ネットワーク回線とは別の前記変調方式及び周波数帯を使用した前記特定回線に接続する第２の無線接続処理と、を実行することにより、前記特定回線の中継を行うことを特徴とする付記７から１１のいずれか１項に記載の通信方法。
【符号の説明】
【００５３】
１４    アドレス格納部
１００    送信側装置
２００    相手側装置
【図１】
2015198415.tif 000003
【図２】
2015198415.tif 000004
【図３】
2015198415.tif 000005
【図４】
2015198415.tif 000006
【図５】
2015198415.tif 000007
【図６】
2015198415.tif 000008
【図７】
2015198415.tif 000009
【図８】
2015198415.tif 000010